(57)【要約】【課題】タイル裏面が全体として面一の平面よりなるタイルを接着剤張りした場合、接着剤が目地間隙からはみ出すことを防止することができるタイル張付構造及びタイルを提供する。【解決手段】タイル１０の裏面は全体にわたって面一の平面である。このタイル１０の木端面１１のうち裏面側に凹所１２が設けられている。タイル１０を張り付ける際、接着剤９は木端面１１，１１間の目地間隙Ｊに入り込んでくるが、この目地間隙の裏面側に凹所１２，１２が設けられており、この接着剤はこの凹所１２，１２内に溜まり、タイル前面側へはみ出すことはない。【選択図】図１
2006233502.tif 000002
【特許請求の範囲】
【請求項１】
裏面が面一の平面よりなる複数枚のタイルが接着剤によって壁面に張り付けられ、隣接したタイルの木端面同士が離隔して目地間隙が形成されているタイル張付構造において、タイル前面側の目地間隙がタイル裏面側より小さいことを特徴とするタイル張付構造。
【請求項２】
裏面が面一の平面よりなるタイルにおいて、タイルの木端面の裏面縁部が該木端面から後退した凹所となっていることを特徴とするタイル。
【請求項３】
裏面が面一の平面よりなる複数枚のタイルが接着剤によって壁面に張り付けられ、隣接したタイルの木端面同士が離隔して目地間隙が形成されているタイル張付構造において、
目地間隙を挟んだ双方の該タイルの木端面の裏側縁部が該木端面から後退した凹所となっていることを特徴とするタイル張付構造。
【請求項４】
裏面が面一の平面よりなる複数枚のタイルが接着剤によって壁面に張り付けられ、隣接したタイルの木端面同士が離隔して目地間隙が形成されているタイル張付構造において、
目地間隙を挟んだ少なくとも一方の該タイルの木端面の厚み方向途中部分が該木端面から後退した凹所となっていることを特徴とするタイル張付構造。
【請求項５】
裏面が面一の平面よりなるタイルにおいて、該タイルの木端面がタイル前面側よりタイル裏面側が後退するようタイル裏面に対し斜交する傾斜面となっていることを特徴とするタイル。
【請求項６】
裏面が面一の平面よりなる複数枚のタイルが接着剤によって壁面に張り付けられ、隣接したタイルの木端面同士が離隔して目地間隙が形成されているタイル張付構造において、
該目地間隙の幅がタイル裏側ほど大となるように、少なくとも一方の該タイルの木端面がタイル裏面に対し斜交する傾斜面となっていることを特徴とするタイル張付構造。
【請求項７】
裏面が面一の平面よりなり、２対の対向辺を有した方形のタイルであって、
少なくとも１対の対向辺のうちの一方の辺に沿う木端面にあっては、前面側が裏面側よりも張り出す前面側張出部となっており、
他方の辺に沿う木端面にあっては、裏面側が前面側よりも張り出す裏面側張出部となっているタイルにおいて、
該前面側張出部の張出長さが裏面側張出部の張出長さよりも大きいことを特徴とするタイル。
【請求項８】
請求項７のタイルを接着剤によって壁面に複数枚張り付けてなり、
目地間隙を挟んで隣接する一方のタイルの裏面側張出部が他方のタイルの前面側張出部の裏側に入り込んでいることを特徴とするタイル張付構造。
【発明の詳細な説明】
【技術分野】
【０００１】
本発明は裏面が全体的に面一の平面となっているタイルを接着剤によって壁面に張り付けた構造と、そのためのタイルに関するものであり、特に目地間隙から接着剤がはみ出すことを防止するようにしたタイル張付構造及びタイルに関するものである。
【背景技術】
【０００２】
裏面が面一の平面よりなるタイルを壁面に接着剤で張り付けたタイル張付構造として、第７図に示すものが特開平８−４２１１２号の図６に記載されている。
【０００３】
このタイル１には上辺に雄実２が設けられ、下辺に雌実３が設けられ、この雄実２と雌実３とが浅く係合している。この雌実３の背後側には空所４が形成される。同号公報には記載はないが、接着剤が壁面５に余剰に付着されているときには、タイル１を壁面５に押し付けたときに接着剤の一部が空所４に収容されるようになり、目地間隙を介してタイル前面側へはみ出してくることが防止されるものと推察される。
【０００４】
特開２００２−８１１８９号の図１には、第８図に示すように、裏面に裏足７を設けたタイル６が記載されている。裏足７はタイル６の裏面の辺縁よりも若干離隔しており、タイル６の裏面の周縁には段部６ａが設けられている。複数枚の該タイル６を、目地間隙をあけて壁面に接着剤で張り付ける場合、同号公報の第００１９段落に記載の通り、余剰の接着剤が該段部６ａに収容されるため、接着剤の目地間隙へのはみ出しが防止される。
【特許文献１】特開平８−４２１１２号
【特許文献２】特開２００２−８１１８９号
【発明の開示】
【発明が解決しようとする課題】
【０００５】
第７図に示す従来例にあっては、タイル前面側に雄実２が大幅に露呈した目地間隙Ｊが生じてしまい、美観に劣る。この目地間隙を狭くするように雄実２を雌実３の裏側に深く差し込んだ場合には、雌実３の裏側の空所４の容積が小さくなり、接着剤がタイル前面側へはみ出し易くなる。
【０００６】
第８図に示す従来例では、タイルの裏面に裏足７が設けられ、裏足７間に裏溝８が存在する。そのため、タイルと壁面を強固に接着しようとする場合、裏溝８に接着剤を塗布する必要があり、かつ接着剤がタイルからはみ出さないよう接着剤塗布量を調整しなければならなかった。
【０００７】
本発明は、タイルと壁面を強固に接着できるよう、タイル裏面が全体として面一の平面よりなるタイルを接着剤張りした場合、接着剤が目地間隙からはみ出すことを防止することができるタイル張付構造及びタイルを提供することを目的とする。
【課題を解決するための手段】
【０００８】
請求項１のタイル張付構造は、裏面が面一の平面よりなる複数枚のタイルが接着剤によって壁面に張り付けられ、隣接したタイルの木端面同士が離隔して目地間隙が形成されているタイル張付構造において、タイル前面側の目地間隙がタイル裏面側より小さいことを特徴とするものである。
【０００９】
請求項２のタイルは、裏面が面一の平面よりなるタイルにおいて、タイルの木端面の裏面縁部が該木端面から後退した凹所となっていることを特徴とするものである。
【００１０】
請求項３のタイル張付構造は、裏面が面一の平面よりなる複数枚のタイルが接着剤によって壁面に張り付けられ、隣接したタイルの木端面同士が離隔して目地間隙が形成されているタイル張付構造において、目地間隙を挟んだ双方の該タイルの木端面の裏側縁部が該木端面から後退した凹所となっていることを特徴とするものである。
【００１１】
請求項４のタイル張付構造は、裏面が面一の平面よりなる複数枚のタイルが接着剤によって壁面に張り付けられ、隣接したタイルの木端面同士が離隔して目地間隙が形成されているタイル張付構造において、目地間隙を挟んだ少なくとも一方の該タイルの木端面の厚み方向途中部分が該木端面から後退した凹所となっていることを特徴とするものである。
【００１２】
請求項５のタイルは、裏面が面一の平面よりなるタイルにおいて、該タイルの木端面がタイル前面側よりタイル裏面側が後退するようタイル裏面に対し斜交する傾斜面となっていることを特徴とするものである。
【００１３】
請求項６のタイル張付構造は、裏面が面一の平面よりなる複数枚のタイルが接着剤によって壁面に張り付けられ、隣接したタイルの木端面同士が離隔して目地間隙が形成されているタイル張付構造において、該目地間隙の幅がタイル裏側ほど大となるように、少なくとも一方の該タイルの木端面がタイル裏面に対し斜交する傾斜面となっていることを特徴とするものである。
【００１４】
請求項７のタイルは、裏面が面一の平面よりなり、２対の対向辺を有した方形のタイルであって、少なくとも１対の対向辺のうちの一方の辺に沿う木端面にあっては、前面側が裏面側よりも張り出す前面側張出部となっており、他方の辺に沿う木端面にあっては、裏面側が前面側よりも張り出す裏面側張出部となっているタイルにおいて、該前面側張出部の張出長さが裏面側張出部の張出長さよりも大きいことを特徴とするものである。
【００１５】
請求項８のタイル張付構造は、請求項７のタイルを接着剤によって壁面に複数枚張り付けてなり、目地間隙を挟んで隣接する一方のタイルの裏面側張出部が他方のタイルの前面側張出部の裏側に入り込んでいることを特徴とするものである。
【発明の効果】
【００１６】
請求項１のタイル張付構造にあっては、タイル裏面側を平面としているため裏足があるタイルに比べて裏足まで接着剤を入り込ませる必要がない分、少量の接着剤でタイルを壁面に強固に張り付けることが可能である。また、タイル前面側の目地間隙がタイル裏面側より小さいため、タイル目地間隙に入り込んできた接着剤はタイル裏面側の目地間隙にて収めることが可能である。従って、接着剤がタイル前面側へはみ出しにくく、タイル前面側から接着剤が見え難いため、意匠性に優れた壁面とすることが可能である。更に、タイル前面側の目地間隙が小さいため、紫外線が接着剤に照射されにくく、接着剤の劣化も防止される。
【００１７】
請求項２，３のタイル張付構造にあっては、目地間隙を挟んだ双方のタイルの木端面の裏面縁部に凹所が設けられている。タイルを接着剤張りする際に、接着剤が目地間隙を通ってタイル前面側へはみ出ようとしたときに、この接着剤が該凹所に収容されるので、タイル前面側へのはみ出しが防止される。請求項１では、この凹所を両木端面に設けているので、凹所の容積を大きくとることができる。
【００１８】
請求項４のタイル張付構造では、タイル木端面の厚み方向の途中部分に凹所を設けており、タイル張り時に目地間隙に入り込んできた接着剤が該凹所に収容されることにより、接着剤のタイル前面側へのはみ出しが防止される。
【００１９】
請求項５，６のタイル張付構造では、目地間隙の幅がタイル裏面ほど大となっており、この幅の大きな目地間隙に接着剤が収容され、接着剤のはみ出しが防止される。この請求項５，６のタイル張付構造のタイルは、木端面が単なる傾斜面であるため、段部を設ける場合に比べて製造が容易である。
【００２０】
請求項７のタイル及び請求項８のタイル張付構造にあっては、木端面の前面側張出部の張出長さが裏面側張出部の張出長さよりも大きい。従って、裏面側張出部を隣接するタイルの前面側張出部の裏側に浅く差し込んだだけでも、タイル前面側に露呈する目地間隙は小さいものとなる。また、この場合、前面側張出部の裏側に比較的大きな空所が形成され接着剤が多量に収容される。このため、接着剤のタイル前面側へのはみ出しが防止される。
【発明を実施するための最良の形態】
【００２１】
以下、図面を参照して実施の形態について説明する。第１図（ａ）は第１の実施の形態に係るタイル張付構造を示す縦断面図、第１図（ｂ）はこのタイル張付構造に用いられているタイルの一部の断面図、第２図〜第６図はそれぞれ別の実施の形態を示す断面図である。なお、第２図〜第５図の（ａ）図はタイル張付構造を示す縦断面図、（ｂ）図はタイルの一部の断面図である。
【００２２】
第１図の実施の形態にあっては、複数枚の方形のタイル１０が弾性接着剤９によって壁面５に張り付けられている。タイル１０の裏面は全体にわたって面一の平面である。このタイル１０の木端面１１のうち裏面側に凹所１２が設けられている。この実施の形態では凹所１２はタイル１０の４側面の全周にわたって設けられている。この実施の形態では、凹所１２は凹に湾曲した断面形状（例えば略四分円弧形状）となっているが、方形断面形状とされてもよい。
【００２３】
弾性接着剤９は、壁面５に対し櫛目鏝などにより規定厚みに塗着されている。この弾性接着剤９付き壁面５に対しタイル１０の裏面を押し付けるようにしてタイル１０を張り付ける。この際、接着剤９は木端面１１，１１間の目地間隙Ｊに入り込んでくるが、この目地間隙の裏面側に凹所１２，１２が設けられており、この接着剤はこの凹所１２，１２内に溜まり、タイル前面側へはみ出すことはない。
【００２４】
なお、凹所１２のタイル厚み方向の最大幅をａ、タイル厚みをｂ、凹所１２のタイル裏面と平行方向の最大幅をｃとした場合ａ／ｂは０．３〜０．７特に０．４〜０．５程度が好適であり、ｃ／ｂは０．３〜０．７特に０．４〜０．５程度が好適である。
【００２５】
第１図では目地間隙Ｊを挟んで両木端面１１，１１に凹所１２が設けられているが、第２図のように目地間隙Ｊを挟んだ一方のタイル２０の木端面２１の裏面側にのみ凹所２２が設けられ、対向する木端面２３はタイル裏面に対し略垂直面としてもよい。なお、凹所２２のタイル厚み方向の最大幅ｄとタイル厚みｅとの比ｄ／ｅは０．３〜０．７特に０．４〜０．５程度が好適であり、凹所２２のタイル裏面方向の最大幅ｆとｅとの比ｆ／ｅは０．３〜１．０特に０．６〜０．８程度が好適である。
【００２６】
この第２図のタイル張付構造においても、タイル張り付け作業時に目地間隙Ｊに入り込んできた接着剤９は凹所２２に溜まるので、タイル前面側へのはみ出しが防止される。
【００２７】
第１，２図ではタイル裏面側に凹所１２，２２を設けているが、第３図のタイル３０のように木端面３１におけるタイル厚み方向の途中部分に凹所３２を設けてもよい。この凹所３２は略半円状もしくは楕円状に湾曲した断面形状となっているが、方形など他の断面形状とされてもよい。
【００２８】
この凹所３２のタイル厚み方向の最大幅をｇとし、最大深さをｉとした場合、タイル厚みｈとの比ｇ／ｈは０．３〜０．６特に０．４〜０．５程度が好適であり、ｉ／ｈは０．２〜０．５特に０．２〜０．３程度が好適である。
【００２９】
この第３図のタイル張付構造は、タイルの木端面の厚み方向途中部分が木端面より後退しているタイルを壁面に張り付けたタイル壁面構造であり、タイル張り付け時に目地間隙Ｊに入り込んできた接着剤９は、凹所３２に溜まり、タイル前面側へはみ出すことが防止される。
【００３０】
第３図では目地間隙Ｊを挟んだ両木端面３１にそれぞれ凹所３２が設けられているが、一方の木端面３１にのみ凹所３２が設けられてもよい。この場合、凹所３２は双方の木端面３１に凹所３２を設ける場合よりも深くするのが好ましい。
【００３１】
第４図では、タイル４０の木端面４１が傾斜面となっており、目地間隙Ｊはタイル裏面ほど幅が大きくなっている。なお、傾斜面よりなる木端面４１とタイル裏面との交叉角度θは１００〜１３５゜特に１０５〜１２０゜程度が好適である。
【００３２】
この第４図のタイル４０の施工に際し、接着剤が目地間隙Ｊに入り込んできた場合、タイル裏面において目地幅が大きくなっているので、接着剤９が目地間隙Ｊを通ってタイル前面側へはみ出すことが防止される。
【００３３】
第５図のタイル５０は方形であり、対向する１対の辺のうち一方に沿う木端面５１にあってはタイル裏面側に張出部５２が設けられている。他方の木端面５３にあっては、タイル前面側に張出部５４が設けられている。
【００３４】
前面側張出部５４の張出長さｒは裏面側張出部５２の張出長さｍよりも大である。
【００３５】
なお、張出部５２，５４のタイル５０の厚み方向の幅をｎ，ｓとし、タイル５０の厚みをｔとした場合、ｍ／ｔは０．１〜０．５特に０．２〜０．３程度が好適であり、ｎ／ｔは０．３〜０．６特に０．４〜０．５程度が好適であり、ｒ／ｔは０．３〜０．７特に０．４〜０．５程度が好適であり、ｓ／ｔは０．４〜０．７特に０．５〜０．６程度が好適である。
【００３６】
第５図（ａ）の通り、短い張出部５２が長い張出部５４の裏側のスペース５５に浅く差し込まれる。これにより、タイル前面側には目地幅の小さい目地間隙Ｊが形成され、タイル裏面側には容積の大きなスペース５５よりなる接着剤収容部が形成される。このため、タイル５０の張り付け施工時に接着剤が目地間隙Ｊを通ってタイル前面側へはみ出すことが防止される。
【００３７】
第５図では、短い張出部５２を上側としているが、第６図のように長い張出部５４を上側とするようにタイル５０を張り付けてもよい。なお、タイル５０の４辺のうち隣接する２辺に張出部５２を設け、残りの隣接する２辺に張出部５４を設けてもよい。
【００３８】
特に本発明では、目地幅３ｍｍ以下の目地詰めを行わない透かし目地を採用したタイル壁面構造とする際に、タイル目地から接着剤がタイル前面側から見えにくく、美麗な壁面を提供することができる。また、タイル前面側の目地間隙が小さいため、透かし目地とした場合においても接着剤に照射される紫外線量が少なく接着剤が劣化しにくい。さらに、タイル裏面側に接着剤が収まり、タイル側面を拘束しないため、熱膨張、地震、風の応力を低減でき、タイルの剥落を防止することができる。
【００３９】
上記実施の形態はいずれも本発明の一例であり、本発明は図示以外の形態をもとりうる。本発明では、方形のタイルの対向する１対の木端面については第１図〜第６図のいずれかの構成とし、他の対向する１対の木端面については第１図〜第６図の残りのいずれの構成としてもよい。
【図面の簡単な説明】
【００４０】
【図１】第１の実施の形態を示す断面図である。
【図２】第２の実施の形態を示す断面図である。
【図３】第３の実施の形態を示す断面図である。
【図４】第４の実施の形態を示す断面図である。
【図５】第５の実施の形態を示す断面図である。
【図６】第５の実施の形態の別例を示す断面図である。
【図７】従来例を示す断面図である。
【図８】別の従来例を示す断面図である。
【符号の説明】
【００４１】
１０，２０，３０，４０，５０  タイル
１１，２１，２３，３１，４１，５１，５３  木端面
１２，２２，３２  凹所
５２，５４  張出部
５５  スペース
【図１】
2006233502.tif 000003
【図２】
2006233502.tif 000004
【図３】
2006233502.tif 000005
【図４】
2006233502.tif 000006
【図５】
2006233502.tif 000007
【図６】
2006233502.tif 000008
【図７】
2006233502.tif 000009
【図８】
2006233502.tif 000010